(57)【要約】【課題】Ｄ−ｃｈとＣ−ｃｈとがそれぞれ異なるネットワークに設定される場合でもシグナリングパケットをＤ−ｃｈでみたパス設定要求経路上の中継ノードに転送する。【解決手段】シグナリングパケットに、宛先アドレスの他に、Ｄ−ｃｈでみた次段アドレスを付加し、自ノードが発ノードであるときには、制御用のパケットの宛先アドレスにＤ−ｃｈでみた次段アドレスを付加してＣ−ｃｈネットワークに転送し、自ノードが中継ノードであるときには、Ｃ−ｃｈネットワークから転送された制御用のパケットの宛先アドレスに付加された自ノードのアドレスをＤ−ｃｈでみた自ノードの次段アドレスに変更してＣ−ｃｈネットワークに転送する。【選択図】　図１
2004015514.tif 000002
【特許請求の範囲】
【請求項１】
データ信号を転送するＤ−ｃｈネットワークと制御信号を転送するＣ−ｃｈネットワークとが分離されたフォトニックネットワークに適用されるフォトニックノードにおいて、
自ノードが発ノードであるときには、制御用のパケットの宛先アドレスにＤ−ｃｈでみた次段アドレスを付加して前記Ｃ−ｃｈネットワークに転送する手段を備え、
自ノードが中継ノードであるときには、前記Ｃ−ｃｈネットワークから転送された制御用のパケットの宛先アドレスに付加された自ノードのアドレスをＤ−ｃｈでみた自ノードの次段アドレスに変更して前記Ｃ−ｃｈネットワークに転送する手段を備えた
ことを特徴とするフォトニックノード。
【請求項２】
Ｄ−ｃｈでみた自ノードの次段アドレスが自ノードを経由するパス毎に記録されたテーブルを生成する手段を備えた請求項１記載のフォトニックノード。
【請求項３】
前記生成する手段は、Ｄ−ｃｈに初めて自ノードを経由するコネクションが生成されたときに前記テーブルを生成し、自ノードを経由する全てのＤ−ｃｈコネクションが無くなったときに前記テーブルを消去する手段を備えた請求項１または２記載のフォトニックノード。
【発明の詳細な説明】
【０００１】
【発明の属する技術分野】
本発明は、データ信号を転送するＤ−ｃｈと、制御信号を転送するＣ−ｃｈとを含むフォトニックネットワークに利用する。特に、Ｄ−ｃｈとＣ−ｃｈとがそれぞれ異なるネットワークに設定されるフォトニックネットワークに関する。
【０００２】
【従来の技術】
階層構造を有していない従来のネットワーク構成を図６に示す。これに対し、階層構造を有するネットワークの例としてフォトニックネットワークを説明する。図７はフォトニックネットワークの構成図である。図７に示すようなフォトニックネットワークでは、光パスは自由なビットレートで１波を専有しているサービスであるため制御用ネットワークは独立なＤＣＮ（Ｄａｔａ　Ｃｏｍｍｕｎｉｃａｔｉｏｎ　Ｎｅｔｗｏｒｋ）を用いることが検討されている。ＤＣＮはいわゆるネットワークにおいても、フレキシビリティに富んだＤ−ｃｈとＣ−ｃｈの分離ネットワークを実現することができる。
【０００３】
従来のＲＳＶＰ（Ｒｅｓｏｕｒｃｅ　Ｒｅｓｅｒｖａｔｉｏｎ　Ｐｒｏｔｏｃｏｌ）などで用いられるシグナリング用のパケットのフォーマットを図８に示す。シグナリングでは宛先として最終目的地が書込まれ、図７の例ではノード＃３のＩＰアドレスをパケットに書込む。
【０００４】
【発明が解決しようとする課題】
図６に示したような従来の階層構造を有しないネットワークでは制御用チャネルＣ−ｃｈと、実際のデータを流すチャネルＤ−ｃｈとが同一であるため、パスの接続や切断を行うシグナリングパケットは必ずＤ−ｃｈと同一のルートを通り、各中継ルータはシグナリングであることを理解して、シグナリングパケットだけはドロップする。しかし、図７に示したような複数の階層を有するネットワークでは、データパケットとシグナリングパケットとが異なる階層を経由する可能性が生じ、各中継ルータはシグナリングを認識できない事態が発生する。
【０００５】
すなわち、従来のＤ−ｃｈとＣ−ｃｈとを分離していないネットワークでは自動的にＩＰフォワーディングにより中継ノードはデータパケットであってもシグナリングパケットであっても通過するが、図７のように分離ネットワークでは、シグナリングパケットがダイレクトに目的地へ着信してしまう。
【０００６】
例えば、パス設定であれば中継ノードは発ノードからのシグナリングパケットを中継することにより、自ノードが当該光パス設定に関与するノードであることを予め認識することができ、着ノードからの当該パス設定のためのリソース確保要求が到着したときには、予め認識した自ノードが関与するリソースの確保を実行することができるが、シグナリングパケットが発ノードから直接着ノードに到着してしまったのでは、途中の中継ノードでは、自ノードが光パス設定に関与することを認識できず、リソース確保が困難になるという問題がある。
【０００７】
本発明は、このような背景に行われたものであって、Ｄ−ｃｈとＣ−ｃｈとがそれぞれ異なるネットワークに設定される場合でもシグナリングパケットをＤ−ｃｈでみたパス設定要求経路上の中継ノードに転送することができるフォトニックノードを提供することを目的とする。
【０００８】
【課題を解決するための手段】
本発明は、シグナリングパケットに、宛先アドレスの他に、Ｄ−ｃｈでみた次段アドレスを付加することにより、Ｄ−ｃｈとＣ−ｃｈとがそれぞれ異なるネットワークに設定される場合でもシグナリングパケットをＤ−ｃｈでみたパス設定要求経路上の中継ノードに転送することができることを特徴とする。
【０００９】
すなわち、本発明は、データ信号を転送するＤ−ｃｈネットワークと制御信号を転送するＣ−ｃｈネットワークとが分離されたフォトニックネットワークに適用されるフォトニックノードである。
【００１０】
ここで、本発明の特徴とするところは、自ノードが発ノードであるときには、制御用のパケットの宛先アドレスにＤ−ｃｈでみた次段アドレスを付加して前記Ｃ−ｃｈネットワークに転送する手段を備え、自ノードが中継ノードであるときには、前記Ｃ−ｃｈネットワークから転送された制御用のパケットの宛先アドレスに付加された自ノードのアドレスをＤ−ｃｈでみた自ノードの次段アドレスに変更して前記Ｃ−ｃｈネットワークに転送する手段を備えたところにある。
【００１１】
Ｄ−ｃｈでみた自ノードの次段アドレスが自ノードを経由するパス毎に記録されたテーブルを生成する手段を備えることが望ましい。
【００１２】
例えば、自ノードを経由する複数のパスが存在する場合には、各パス毎に次段アドレスが異なるので、それらの次段アドレスを記録しておくことにより、次段アドレスを確実かつ簡単に取得することができる。
【００１３】
前記生成する手段は、Ｄ−ｃｈに初めて自ノードを経由するコネクションが生成されたときに前記テーブルを生成し、自ノードを経由する全てのＤ−ｃｈコネクションが無くなったときに前記テーブルを消去する手段を備えることが望ましい。
【００１４】
【発明の実施の形態】
本発明実施例を図１ないし図５を参照して説明する。図１は本実施例のフォトニックネットワークの動作原理を説明するための図である。図２は本実施例のフォトニックノードのブロック構成図である。図３は本実施例のフォトニックネットワークの論理構成を示す図である。図４は本実施例のシグナリングパケットの構成図である。図５は本実施例のテーブルの生成および消去の動作を示すシーケンス図である。
【００１５】
本実施例は、図１に示すように、データ信号を転送するＤ−ｃｈネットワークと制御信号を転送するＣ−ｃｈネットワークとしてのＤＣＮ１０とが分離されたフォトニックネットワークに適用されるフォトニックノードである。
【００１６】
ここで、本実施例の特徴とするところは、図２に示すように、自ノードが発ノードであるときには、制御用のパケットの宛先アドレスにＤ−ｃｈでみた次段アドレスを付加してＤＣＮ１０に転送し、自ノードが中継ノードであるときには、ＤＣＮ１０から転送された制御用のパケットの宛先アドレスに付加された自ノードのアドレスをＤ−ｃｈでみた自ノードの次段アドレスに変更してＤＣＮ１０に転送するラベル設定部１を備えたところにある。
【００１７】
また、ラベル設定部１は、Ｄ−ｃｈでみた自ノードの次段アドレスが自ノードを経由するパス毎に記録されたラベル設定テーブル２を生成する。さらに、ラベル設定部１は、Ｄ−ｃｈに初めて自ノードを経由するコネクションが生成されたときにラベル設定テーブル２を生成し、自ノードを経由する全てのＤ−ｃｈコネクションが無くなったときにラベル設定テーブル２を消去する。
【００１８】
また、ラベル設定部１は、ラベル設定テーブル２を生成する際には、最終的な宛先アドレスから自ノードと宛先ノードとの間のパスの経路を認識し、その認識した経路に基づき次段アドレスを設定する。図２の例では、３本のパスの最終的な宛先アドレスがそれぞれＸ１０、Ｘ２０、Ｘ３０となっており、この宛先アドレスから自ノードと宛先ノードとの間のパスの経路を認識し、その認識した経路に基づき次段アドレスとしてＸ３、Ｘ７、Ｘ９をそれぞれ設定している。
【００１９】
以下では、本実施例をさらに詳細に説明する。
【００２０】
図４に示す本実施例のシグナリングパケットのパケットフォーマットにあるように、ソース側のフォトニックルータからは次段ノード＃２をラベルスタッキングさせて送出する。図１に示すように、シグナリングパケットはＤＣＮ１０を通してノード＃２に到着し、ノード＃２ではシグナリングパケットであるのでシグナリング処理をすると同時にラベルのスワップ（ＰＵＳＨ＆ＰＯＰ）をして、次段ノード＃３へＤＣＮ１０経由で転送する。
【００２１】
図１の例では、次段は最終ノード＃３であるのでラベルのスタックは省略できる。このことにより、論理的には図３に示すようにＤ−ｃｈのルートに完全に沿うかたちでＣ−ｃｈが形成できる。各ノードには図２に示すようにＣ−ｃｈのシグナリングパケットのラベルを変換できるようにラベル設定テーブル２を有している。
【００２２】
また、図５に示すように、中継ノードのラベル設定テーブル２は、当該Ｄ−ｃｈがはじめてノード＃１、＃３間で発生したときに生成され、Ｄ−ｃｈが＃１〜＃３間で増えてもラベル設定テーブル２は変更されないが、全ての＃１〜＃３間のＤ−ｃｈコネクションがなくなったときに消去する。
【００２３】
【発明の効果】
以上説明したように、本発明によれば、Ｄ−ｃｈとＣ−ｃｈとがそれぞれ異なるネットワークに設定される場合でもシグナリングパケットをＤ−ｃｈでみたパス設定要求経路上の中継ノードに転送することができる。
【図面の簡単な説明】
【図１】本実施例のフォトニックネットワークの動作原理を説明するための図。
【図２】本実施例のフォトニックノードのブロック構成図。
【図３】本実施例のフォトニックネットワークの論理構成を示す図。
【図４】本実施例のシグナリングパケットの構成図。
【図５】本実施例のテーブルの生成および消去の動作を示すシーケンス図。
【図６】従来の階層構造を有しないネットワークを示す図。
【図７】従来の階層構造を有するネットワークを示す図。
【図８】従来のシグナリングパケットを示す図。
【符号の説明】
１　ラベル設定部
２　ラベル設定テーブル
１０　ＤＣＮ
【図１】
2004015514.tif 000003
【図２】
2004015514.tif 000004
【図３】
2004015514.tif 000005
【図４】
2004015514.tif 000006
【図５】
2004015514.tif 000007
【図６】
2004015514.tif 000008
【図７】
2004015514.tif 000009
【図８】
2004015514.tif 000010